(57)【要約】【課題】  釣り竿への取付け、取外しをワンタッチで簡易に行え、ハリスの取扱い（巻取り、繰出し、収納、交換）が簡単で、使い勝手が良く、子供から大人まで幅広く使用可能で、環境保全にも寄与することができるハリスキャッチを提供する。【解決手段】  釣り糸のハリスを巻き取り、繰り出し、収納するために使用されるハリスキャッチ１０が、ハリス巻取り部２０と、釣り竿への取付け部をなす竿取付け部３０とから成っている。ハリス巻取り部２０は、竿取付け部３０に対して分解、組立、固定、回転可能にされて、竿取付け部３０に取り付けられる。竿取付け部３０は、釣り竿把持部３１を備え、該釣り竿把持部３１は、弾発的に開閉可能にされていて、弾発的に閉じられた時、釣り竿を把持し、弾発的に開かれた時、釣り竿を解放することができるようにされている。ハリス巻取り部２０には、針掛止め部材２３が取り付けられている。【選択図】      図２
2007135525.tif 000002
【特許請求の範囲】
【請求項１】
釣り糸のハリスを巻き取り、繰り出し、収納するために使用されるハリスキャッチが、ハリス巻取り部と、釣り竿への取付け部をなす竿取付け部とから成り、
前記ハリス巻取り部は、前記竿取付け部に対して分解、組立、固定、回転可能にされて、前記竿取付け部に取り付けられており、
前記竿取付け部は、釣り竿把持部を備え、
前記釣り竿把持部は、弾発的に開閉可能にされていて、弾発的に閉じられた時、前記釣り竿を把持し、弾発的に開かれた時、前記釣り竿を解放することができるようにされている
ことを特徴とするハリスキャッチ。
【請求項２】
前記ハリス巻取り部は、左右の縦杆と、これらの縦杆を連結する複数本の横杆とから成る梯子状フレームにより構成されていることを特徴とする請求項１に記載のハリスキャッチ。
【請求項３】
前記左右の縦杆の一方もしくは双方には、それらの長さ方向に沿って、前記ハリスに結び付けられた釣り針を任意の位置に掛け止めることができる細長板状の針掛止め部材が取り付けられていることを特徴とする請求項２に記載のハリスキャッチ。
【請求項４】
前記針掛止め部材は、ウレタン材から成ることを特徴とする請求項３に記載のハリスキャッチ。
【請求項５】
前記左右の縦杆の一方もしくは双方の両端面には、少なくとも１条のハリス止め溝がそれぞれ形成されていることを特徴とする請求項２ないし４のいずれかに記載のハリスキャッチ。
【請求項６】
前記ハリス巻取り部は、前記竿取付け部に、ボルトとナットとから成る締結手段を用いて取り付けられ、
前記ボルトは、前記竿取付け部の側から前記竿取付け部及び前記左右の縦杆を横方向に貫通し、その貫通して突出したネジ部に、前記ナットが螺合させられており、
前記ハリス巻取り部は、前記ナットの螺合を解くか、もしくは螺合させて締め量を調節することにより、前記竿取付け部に対して分解、組立、固定、回転可能にされている
ことを特徴とする請求項２ないし５のいずれかに記載のハリスキャッチ。
【発明の詳細な説明】
【技術分野】
【０００１】
本願の発明は、釣り用付属具として、釣り糸のハリスを巻き取り、繰り出し、収納するために使用されるハリス巻取り装置に関し、本明細書においては、特にこれをハリスキャッチと称している。
【背景技術】
【０００２】
一般に、釣り糸は、釣り竿から重りまでの部分のミチ糸（道糸）と、重りよりも先方部分のハリス（鉤索）とにより構成されている。ハリスの先端には、釣り針が結び付けられている。釣り針は、釣り上げようとする魚の種類に応じて、その単数本もしくは複数本が用いられる。複数本が用いられる場合には、それらの釣り針は、ハリスのミキ糸（幹糸）となる部分に所定間隔を隔てて分岐糸により結び付けて用いられる。このようなハリスは、魚を捕獲するための仕掛けの一種である。
【０００３】
ところで、釣りをしている時、釣り場を移動することがよくある。釣り場を移動する時、釣り具の一部又は全部は、しばしば一時的に収納される。また、釣りを終える時（納竿時）、釣り具の全部が長期的に収納される。これらの場合の釣り具の収納は、多くの場合、次のようにして行われる。先ず、ミチ糸をリールに巻き取り、リールに巻き取ることができないハリスを手元に手繰り寄せ、必要に応じて釣り竿を畳んで、手繰り寄せられたハリスを特別に用意された巻取り具に巻き取るか、そのまま小さく束ねて、ゴム紐等により釣り竿にくくり付けたり、ハリス部分を切り離して、同様な処置をした上で適所に収納したり、または、収納しないで持ち歩いたりしている。さもなくば、手繰り寄せられたハリスに対して何らの処置もせずに、結局、切断して捨てているのが現状である。
【０００４】
また、釣りを再開する時には、以上の手順の逆の手順にて、先ず、巻き取られるか束ねられたハリスを繰り出してセットアップし、次いで、巻き取られたミチ糸を繰り出し、ハリスが切り離されている場合には、ハリスとミチ糸とを結び合わせ、畳まれた釣り竿を伸長させることにより、釣りの準備ができることになる。
【０００５】
このように、ハリスは、その先端に釣り針を備えていて、ミチ糸と同じ扱いができないので、釣りにおいて、釣り場を移動する時や釣りを終える時、また、釣りを再開する時、ハリスの処置は、手間と時間とを要する面倒な作業となる。このような面倒な作業をできるだけ簡単化し、快適な釣りを楽しむことができるようにするためには、ハリスの巻取り、収納、繰出しに、特別な工夫を要するものである。
【０００６】
従来、そのような工夫の１例として、針付き釣り糸を巻き付けるフレームの一部又は全体に網部を張設したものがある（特許文献１）。この針付き釣り糸の巻取り具よれば、複数の釣り針が付いた釣り糸であっても、網部中、釣り糸の適度な張力が得られる任意の個所に釣り針を掛け止めて、釣り糸を巻き取ることにより、釣り針と釣り糸とが縺れることなく、これらを確実に巻き取り、保持することができる。しかしながら、このものは、その使用中、これを手に持って釣り糸の巻取り、繰出しを行わなければならず、それらの作業が面倒である。また、使用を途中休止している時でも、別途保管の手間が掛かり、ゴム紐等により釣り竿にくくり付けるとしても、その取付け、取外しの作業が面倒なものとなる。
【０００７】
また、他の工夫の例として、針付き釣り糸の巻取り装置を釣り竿のヘッドキャップに取り付けるようにしたものがある（特許文献２）。このものにおいては、ヘッドキャップの長手方向に沿って取り付けられた巻取り装置の上下に、釣り糸ガイド用の突起がそれぞれ設けられ、また、巻取り装置の上下間には、多数の釣り針引っ掛け穴が設けられている。そして、これらにより、巻き取られた釣り糸が外れないようにされるとともに、釣り針の引っ掛け穴を適宜選択して、ハリスが緩まないように釣り針を引っ掛け穴に引っ掛けながら、釣り糸を巻き取ることができるように工夫されている。しかしながら、このものは、ヘッドキャップに外部に露出した状態で固定的に取り付けられるので、長期間収納される場合には、スペースを浪費し、邪魔になるとともに、釣り糸の巻取り専用の装置ではないので、使用しづらく、また、釣りをしていて、釣り場を移動する時、釣り竿を畳まないで釣り糸を一時的に収納したい場合には、使用できない不便さがある。
【特許文献１】特開２０００−１６１２４５号公報
【特許文献２】特開２００５−２９５９８５号公報
【発明の開示】
【発明が解決しようとする課題】
【０００８】
本願の発明は、従来のハリス巻取り装置が有する前記のような問題点を解決して、釣り竿への取付け、取外しをワンタッチで簡易に行え、ハリスの取扱い（巻取り、繰出し、収納、交換）が簡単で、使い勝手が良く、子供から大人まで幅広く使用可能で、環境保全にも寄与することができるハリス巻取り装置（ハリスキャッチ）を提供することを課題とする。
【課題を解決するための手段】
【０００９】
前記のような課題は、本願の各請求項に記載された次のような発明により解決される。  すなわち、その請求項１に記載された発明は、釣り糸のハリスを巻き取り、繰り出し、収納するために使用されるハリスキャッチが、ハリス巻取り部と、釣り竿への竿取付け部とから成り、前記ハリス巻取り部は、前記竿取付け部に対して分解、組立、固定、回転可能にされて、前記竿取付け部に取り付けられており、前記竿取付け部は、釣り竿把持部を備え、前記釣り竿把持部は、弾発的に開閉可能にされていて、弾発的に閉じられた時、前記釣り竿を把持し、弾発的に開かれた時、前記釣り竿を解放することができるようにされていることを特徴とするハリスキャッチである。
【００１０】
請求項１に記載された発明は、前記のように構成されているので、そのハリスキャッチは、ハリス巻取り部が竿取付け部に取り付けられて一体化されることにより構成される。しかも、竿取付け部に備えられた釣り竿把持部を弾発的に閉じたり、開いたりすることによって、該釣り竿把持部が、釣り竿を把持したり、解放したりすることができるので、釣り竿把持部を弾発的に閉じたり、開いたりすることによって、ハリスキャッチ全体を釣り竿にワンタッチで簡易に取り付けたり、取り外したりすることができることになり、安全で、確実で、しかも、短時間でのハリスの取扱いが可能になる。
【００１１】
また、ハリス巻取り部は、竿取付け部に対して分解、組立可能にされて、該竿取付け部に取り付けられているので、釣り場において、ハリス巻取り部全体を交換することによって、ハリスの交換を容易に行うことができる。
また、ハリス巻取り部は、竿取付け部に対して固定、回転可能にされて、該竿取付け部に取り付けられているので、釣り開始時、ハリス巻取り部からハリスを繰り出したり、釣り場の移動時や釣り終了（納竿）時、ハリス巻取り部にハリスを巻き取って収納したりする時には、ハリス巻取り部全体を手動で回転させながら行うことができ、ハリスの繰出し、巻取りを迅速に、円滑に行うことができる。
これらにより、ハリスキャッチの使い勝手が向上する。
【００１２】
さらに、以上のとおり、ハリスキャッチの取扱いが簡単で、容易であり、その使い勝手が良いので、子供から大人まで幅広い釣り人を対象にして、その使用が可能である。
また、使用済みのハリスを簡単に巻き取り、収納することができるので、釣り場の移動時や釣り終了（納竿）時、仕掛けを釣り場に放棄する等の防止対策となり、環境保全に寄与することができる。
【００１３】
また、その請求項２に記載された発明は、請求項１に記載のハリスキャッチにおいて、そのハリス巻取り部が、左右の縦杆と、これらの縦杆を連結する複数本の横杆とから成る梯子状フレームにより構成されていることを特徴としている。
【００１４】
請求項２に記載された発明は、この構成により、コンパクトでありながら、巻取り容量が大きく、取り扱い易いハリスキャッチを得ることができる。
【００１５】
また、その請求項３に記載された発明は、請求項２に記載のハリスキャッチにおいて、その左右の縦杆の一方もしくは双方には、それらの長さ方向に沿って、ハリスに結び付けられた釣り針を任意の位置に掛け止めることができる細長板状の針掛止め部材が取り付けられていることを特徴としている。
【００１６】
請求項３に記載された発明は、この構成により、釣り針の固定を自由自在に行うことができるので、複数の釣り針が付いた釣り糸であっても、釣り針をそこに引っ掛けることにより適度なハリスの張力が得られる針掛止め部材中の個所を適宜選択して、そこに釣り針を掛け止めて、ハリスが緩まないようにしながら釣り糸を巻き取ることにより、釣り針と釣り糸とが縺れることなく、これらを確実に巻き取り、安全に保持することができ、特にサビキ仕掛けのような釣り針の多い仕掛けの収納が容易になる。
【００１７】
さらに、その請求項４に記載された発明は、請求項３に記載のハリスキャッチにおいて、その針掛止め部材が、ウレタン材から成ることを特徴としている。
【００１８】
請求項４に記載された発明は、この構成により、針掛止め部材を、入手容易な材料を用いて簡易に製作することができる。
【００１９】
また、その請求項５に記載された発明は、請求項２ないし４のいずれかに記載のハリスキャッチにおいて、その左右の縦杆の一方もしくは双方の両端面には、少なくとも１条のハリス止め溝がそれぞれ形成されていることを特徴としている。
【００２０】
請求項５に記載された発明は、この構成により、ハリスキャッチに巻き取られた釣り糸（ハリス）の終端部を、このハリス止め溝に食い込ませて保持することができ、ハリスの収納及び繰出し開始をきわめて簡単に手際よく行えて、操作性が良い。
【００２１】
また、その請求項６に記載された発明は、請求項２ないし５のいずれかに記載のハリスキャッチにおいて、そのハリス巻取り部が、竿取付け部に、ボルトとナットとから成る締結手段を用いて取り付けられ、ボルトは、竿取付け部の側から該竿取付け部及び左右の縦杆を横方向に貫通し、その貫通して突出したネジ部に、ナットが螺合させられており、ハリス巻取り部は、該ナットの螺合を解くか、もしくは螺合させて締め量を調節することにより、竿取付け部に対して分解、組立、固定、回転可能にされていることを特徴としている。
【００２２】
請求項６に記載された発明は、この構成により、汎用のボルトとナットとから成る締結手段を用いて、ハリス巻取り部を竿取付け部に取り付けるとともに、ハリス巻取り部を竿取付け部に対して分解、組立、固定、回転可能にすることができ、ハリス巻取り部と竿取付け部とから成るハリスキャッチをきわめて簡単に組み立て、また、分解することができ、しかも、多機能なハリスキャッチを得ることができる。
【発明の効果】
【００２３】
前記のとおり、本願の発明によれば、そのハリスキャッチは、そのハリス巻取り部が、その竿取付け部に取り付けられて一体化されることにより構成される。しかも、竿取付け部に備えられた釣り竿把持部を弾発的に閉じたり、開いたりすることによって、該釣り竿把持部が、釣り竿を把持したり、解放したりすることができるので、釣り竿把持部を弾発的に閉じたり、開いたりすることによって、ハリスキャッチ全体を釣り竿にワンタッチで簡易に取り付けたり、取り外したりすることができることになり、安全で、確実で、しかも、短時間でのハリスの取扱いが可能になる。
【００２４】
また、ハリス巻取り部は、竿取付け部に対して分解、組立可能にされて、該竿取付け部に取り付けられているので、釣り場において、ハリス巻取り部全体を交換することによって、ハリスの交換を容易に行うことができる。
また、ハリス巻取り部は、竿取付け部に対して固定、回転可能にされて、該竿取付け部に取り付けられているので、釣り開始時、ハリス巻取り部からハリスを繰り出したり、釣り場の移動時や釣り終了（納竿）時、ハリス巻取り部にハリスを巻き取って収納したりする時には、ハリス巻取り部全体を手動で回転させながら行うことができ、ハリスの繰出し、巻取りを迅速に、円滑に行うことができる。
これらにより、ハリスキャッチの使い勝手が向上する。
【００２５】
また、以上のとおり、ハリスキャッチの取扱いが簡単で、容易であり、その使い勝手が良いので、子供から大人まで幅広い釣り人を対象にして、その使用が可能である。
さらに、使用済みのハリスを簡単に巻き取り、収納することができるので、釣り場の移動時や釣り終了（納竿）時、仕掛けを釣り場に放棄する等の防止対策となり、環境保全に寄与することができる。
【００２６】
さらに、そのハリス巻取り部が、左右の縦杆と、これらの縦杆を連結する複数本の横杆とから成る梯子状フレームにより構成される場合には、コンパクトでありながら、巻取り容量が大きく、取り扱い易いハリスキャッチを得ることができる。
【００２７】
また、その左右の縦杆の一方もしくは双方に、それらの長さ方向に沿って、ハリスに結び付けられた釣り針を任意の位置に掛け止めることができる細長板状の針掛止め部材が取り付けられる場合には、釣り針の固定を自由自在に行うことができるので、複数の釣り針が付いた釣り糸であっても、釣り針をそこに引っ掛けることにより適度なハリスの張力が得られる針掛止め部材中の個所を適宜選択して、そこに釣り針を掛け止めて、ハリスが緩まないようにしながら釣り糸を巻き取ることにより、釣り針と釣り糸とが縺れることなく、これらを確実に巻き取り、安全に保持することができ、特にサビキ仕掛けのような釣り針の多い仕掛けの収納が容易になる。
なお、この針掛止め部材は、ウレタン材から成るものとすることができ、その場合には、針掛止め部材を、入手容易な材料を用いて簡易に製作することができる。
【００２８】
また、その左右の縦杆の一方もしくは双方の両端面に、少なくとも１条のハリス止め溝がそれぞれ形成される場合には、ハリスキャッチに巻き取られた釣り糸（ハリス）の終端部を、このハリス止め溝に食い込ませて保持することができ、ハリスの収納及び繰出し開始をきわめて簡単に手際よく行えて、操作性が良い。
【００２９】
さらに、そのハリス巻取り部が、竿取付け部に、ボルトとナットとから成る締結手段を用いて取り付けられ、該ボルトが、該竿取付け部の側から該竿取付け部及び左右の縦杆を横方向に貫通し、その貫通して突出したネジ部に、該ナットが螺合させられ、ハリス巻取り部は、該ナットの螺合を解くか、もしくは螺合させて締め量を調節することにより、該竿取付け部に対して分解、組立、固定、回転可能にされる場合には、汎用の締結手段を用いて、ハリス巻取り部を竿取付け部に取り付けるとともに、ハリス巻取り部を竿取付け部に対して分解、組立、固定、回転可能にすることができ、ハリス巻取り部と竿取付け部とから成るハリスキャッチをきわめて簡単に組み立て、また、分解することができ、しかも、多機能なハリスキャッチを得ることができる。
【発明を実施するための最良の形態】
【００３０】
釣り糸のハリスを巻き取り、繰り出し、収納するために使用されるハリスキャッチを、ハリス巻取り部と、釣り竿への取付け部をなす竿取付け部とから成るものとする。ハリス巻取り部は、竿取付け部に対して分解、組立、固定、回転可能にして、該竿取付け部に取り付ける。該竿取付け部は、釣り竿把持部を備えるものとし、該釣り竿把持部は、弾発的に開閉可能に構成して、弾発的に閉じられた時、釣り竿を把持し、弾発的に開かれた時、釣り竿を解放することができるようにする。
【００３１】
ハリス巻取り部は、左右の縦杆と、これらの縦杆を連結する複数本の横杆とから成る梯子状フレームにより構成し、左右の縦杆の一方もしくは双方には、それらの長さ方向に沿って、ハリスに結び付けられた釣り針を任意の位置に掛け止めることができる細長板状の針掛止め部材を取り付ける。この針掛止め部材は、ウレタン材から成るものとする。さらに、左右の縦杆の一方もしくは双方の両端面には、少なくとも１条のハリス止め溝をそれぞれ形成する。
【００３２】
ハリス巻取り部は、竿取付け部に、ボルトとナットとから成る締結手段を用いて取り付ける。ボルトは、竿取付け部の側から該竿取付け部及び左右の縦杆を横方向に貫通させ、その貫通させて突出したネジ部に、ナットを螺合させる。ハリス巻取り部は、このナットの螺合を解くか、もしくは螺合させて締め量を調節することにより、竿取付け部に対して分解、組立、固定、回転可能にする。
【実施例】
【００３３】
次に、本願の発明の一実施例について説明する。
図１は、本実施例のハリスキャッチを使用した釣り具の部分正面図、図２は、同ハリスキャッチの斜視図、図３は、ハリスの斜視図である。なお、以下の説明においては、ハリスキャッチにハリスを巻き取る時、巻取りの芯杆が走る方向を左右方向とし、これと直交する方向を前後方向とする。これを図２について言えば、図２において左右方向を左右方向とし、斜視した手前側を前、それと反対側を後とする。
【００３４】
図１に図示されるように、本実施例のハリスキャッチ１０を使用した釣り具１は、入れ子式に伸縮自在に構成された釣り竿２の根元把持部の近傍に、リール本体３が取り付けられている。そして、このリール本体３が取り付けられた個所の直ぐ先方には、本実施例のハリスキャッチ１０が取り付けられている。ハリスキャッチ１０を取り付ける位置は、リール本体３のリール４からミチ糸５を繰り出すのに干渉がなく、且つ、ハリスキャッチ１０にハリス６を巻き取るのに干渉がない位置であって、できるだけ釣り竿２の根元把持部に近い位置とされるのが良い。
【００３５】
リール本体３のリール４から繰り出されたミチ糸５は、釣り竿２の複数個所に取り付けられた糸ガイドリング９を抜けて、釣り竿２の先端から送り出されながら、釣り時には、その糸の先端に繋がれていて、ハリスキャッチ１０から繰り出されたハリス６が、水中の釣り場に投入される。ミチ糸５とハリス６とは、サルカン７の部分で繋がれている。通常、この部分には、重りが付着される。浮き８は、必要に応じて使用され、重りよりも上方のミチ糸５の適所に取り付けられる。
【００３６】
釣りをしていて、釣り場を移動したい時には、リール４にミチ糸５を巻き取りながら、ハリス６を水中から引き上げて手繰り寄せ、ハリスキャッチ１０に巻き取る。ハリス６をハリスキャッチ１０に巻き取る要領については、後で詳しく説明する。ハリス６をハリスキャッチ１０に巻き取った状態で、リール４をさらに巻き方向に回転させて、ミチ糸５を十分に巻き取り、ミチ糸５とハリス６とを緊張させる。この状態で、リール４を固定すれば、次いで、釣り具１を担ぎながら、安全に釣り場を移動することができる。
【００３７】
また、釣りを終了する時には、前記した、釣り場を移動する時の釣り具１の状態において、ミチ糸５とハリス６とをサルカン７の部分で切断して、浮き８及び重りを外し、ミチ糸５をリール４に完全に巻き取るとともに、ハリス６をハリスキャッチ１０に完全に巻き取る。そして、ハリスキャッチ１０を釣り竿２から取り外し、必要に応じてリール４を釣り竿２から取り外し、釣り竿２を短縮させて、これら釣り竿２、リール４、ハリスキャッチ１０を適宜用意された収納バッグ等に収納する。このようにして、釣りを終了（納竿）することができる。なお、前記したミチ糸５とハリス６との切断は、ミチ糸５をリール４に巻き取る前や、その他の時点に行われることもあり、その時点は、釣り人に応じて適宜選択される。
【００３８】
次に、ハリスキャッチ１０の構造について、詳細に説明する。
図２に図示されるように、ハリスキャッチ１０は、ハリス６を巻き取り、繰り出し、収納する部分となるハリス巻取り部２０と、釣り竿２にハリスキャッチ１０を取り付ける部分をなす竿取付け部３０とから成っている。ハリス巻取り部２０は、竿取付け部３０に、ボルト４１とナット４２とから成る締結手段４０を用いて取り付けられており、ナット４２を緊締することにより、ハリス巻取り部２０と竿取付け部３０とは一体化される。しかしながら、ハリス巻取り部２０は、ナット４２の螺合を解くか、もしくは螺合させて締め量を調節することにより、竿取付け部３０に対して分解、組立、固定、回転可能である。  
【００３９】
ここで、ハリス巻取り部２０の構造について、さらに詳細に説明する。
ハリス巻取り部２０は、左右の縦杆２１ｌ、２１ｒと、これらの縦杆を連結する複数本の横杆２２ａ、２２ｂ、２２ｃとから成る梯子状フレームにより構成されている。横杆は、本実施例においては、３本使用されているが、中央の横杆２２ｂを省略して２本とされても良いし、適数本使用されれば良いものである。上下の横杆２２ａ、２２ｃは、ハリス６を巻き取る時の芯杆となる。中央の横杆２２ｂは、中空の円柱体から成っており、内部をボルト４１が貫通する。また、上中下の横杆２２ａ、２２ｂ、２２ｃは、協同して梯子状フレームの構造的強度を支えている。縦杆の断面は、一般に矩形であり、横杆の断面は、一般に円形である。縦杆及び横杆の材質は、プラスチック又は木製とされる。
【００４０】
左右の縦杆２１ｌ、２１ｒの一方もしくは双方の両端面には、少なくとも１条のハリス止め溝２４がそれぞれ形成される。本実施例においては、左側の縦杆２１ｌの両端面に、２条のハリス止め溝２４がそれぞれ形成されており、また、右側の縦杆２１ｒの両端面に、１条のハリス止め溝２４がそれぞれ形成されている。これらのハリス止め溝２４には、ハリスキャッチ１０に巻き取られたハリス６の終端部が食い込ませられて、そこに保持される。ハリス６の終端部がこのように処置されることによって、ハリス６の収納及び繰出し開始をきわめて簡単に手際よく行うことができる。
【００４１】
左右の縦杆２１ｌ、２１ｒの一方もしくは双方には、また、それらの長さ方向に沿って、ハリス６のミキ糸６ａから分岐した複数本の分岐糸６ｂの先端にそれぞれ結び付けられた釣り針６ｃ(図３参照) を任意の位置に掛け止めることができる細長板状の針掛止め部材２３が取り付けられる。本実施例においては、左側の縦杆２１ｌの前面と後面とに、針掛止め部材２３がそれぞれ取り付けられている。これらの針掛止め部材２３は、ウレタン材から製作されるのが望ましい。ウレタン材は、入手が容易であり、接着剤等を用いて容易に縦杆に固着させることができ、また、軟質であるので、釣り針６ｃを任意の個所に容易に食い込ませて掛け止めることができる。なお、釣り針６ｃの本数は、１本の場合もあれば、２本の場合もあり、さらに、サビキ仕掛けのように多数本の場合もある。
【００４２】
次に、竿取付け部３０の構造について、さらに詳細に説明する。
竿取付け部３０は、釣り竿把持部３１と基端部３２とから成っている。釣り竿把持部３１は、図２に図示されるように、あらまし、円筒体の周壁の一部が軸方向（中心軸方向）に切除されてできた断面Ｃ字の形状をなしていて、その円周方向中央部の外表面には、突条３１ａが軸方向に突出形成されている。釣り竿把持部３１は、この突条３１ａを境にして、前曲板部３１ｂと後曲板部３１ｃとに分けられており、これら前後両曲板部３１ｂ、３１ｃは、突条３１ａを中心にして、それぞれ同じ形状に形成されている。
【００４３】
基端部３２は、釣り竿把持部３１の軸方向中央部に位置して、その断面Ｃ字の背後に連なり、釣り竿把持部３１と一体にプラスチックの成形加工により形成されている。竿取付け部３０は、ハリスキャッチ１０が釣り竿２に取り付けられた時、ハリス６を巻き取った状態にあるハリス巻取り部２０の荷重及びそこに加わる外力に十分に耐え得る強度を備えるものとされる。
【００４４】
釣り竿把持部３１の壁体内には、前後両曲板部３１ｂ、３１ｃに跨がって、バネ部材３３が埋め込まれている。このバネ部材３３の構造としては、板状のバネ部材の１枚もしくは複数枚を採用して、これらのバネ部材を、釣り竿把持部３１の軸方向に沿って、その壁体内に埋設するようにしても良いし、また、線状のバネ部材の複数本を採用して、これらのバネ部材を、釣り竿把持部３１の軸方向に沿って並べて、その壁体内に埋設するようにしても良い。バネ部材３３を釣り竿把持部３１の壁体内に埋め込むのには、竿取付け部３０全体をプラスチックの成形加工により形成するに際して、その溶融材料中に鋳込めば良い。
【００４５】
なお、これらのバネ部材を釣り竿把持部３１の壁体内に埋め込まずに、その上下両端面もしくは内周面に沿わせて付設するようにしても良い。さらに、竿取付け部３０全体をバネ性のある金属材料を用いて製作することも可能であり、このようにすれば、それ自体、弾発性を備えた前後両曲板部３１ｂ、３１ｃを得ることができる。
【００４６】
このようにして形成された竿取付け部３０は、その釣り竿把持部３１の前後両曲板部３１ｂ、３１ｃが弾発的に開閉可能にされているので、これらが弾発的に閉じられた時、釣り竿２を把持し、弾発的に開かれた時、釣り竿２を解放するように用いることができる。したがって、これらを弾発的に閉じたり、開いたりすることによって、竿取付け部３０のみならず、ハリスキャッチ１０全体を釣り竿２にワンタッチで簡易に取り付けたり、取り外したりすることができる。
【００４７】
締結手段４０の構成要素をなすボルト４１は、竿取付け部３０の側から、その釣り竿把持部３１及び基端部３２の各中心部、ハリス巻取り部２０の左右の縦杆２１ｌ、２１ｒの各中心部を横方向（左右方向）に貫通しており、その貫通して突出したネジ部に、締結手段４０のもう１つの構成要素をなすナット４２が螺合させられている。ボルト４１がそれらの部材を貫通するに際しては、きつく貫通することなく、柔らかく貫通する程度にわずかの隙間を設けてやれば、それらの部材の分解、組立を楽に行うことができる。
【００４８】
なお、締結手段４０を用いてハリス巻取り部２０を竿取付け部３０に取り付けるに際しては、ハリス巻取り部２０の左側の縦杆２１ｌと竿取付け部３０の基端部３２との間、ハリス巻取り部２０の右側の縦杆２１ｒとナット４２との間にワッシャー２５ａ、２５ｂがそれぞれ介装されている。ボルト４１、ナット４２、ワッシャー２５ａ、２５ｂは、ステンレス材料により製作されている。
【００４９】
ハリス巻取り部２０が、前記のようにして締結手段４０を用いて竿取付け部３０に取り付けられているので、ナット４２を緊締することにより、ハリス巻取り部２０と竿取付け部３０とは一体化される。また、ナット４２の螺合を解くか、もしくは螺合させて締め量を調節することにより、ハリス巻取り部２０は、竿取付け部３０に対して分解、組立、固定、回転のいずれもが可能にされる。ハリス巻取り部２０が竿取付け部３０に対して回転する時には、ボルト４１がその回転支軸となる。
【００５０】
次に、本実施例のハリスキャッチ１０の使用法について説明する。
先ず、締結手段４０によりハリス巻取り部２０と竿取付け部３０とが一体化されて成るハリスキャッチ１０を、釣り竿２に取り付ける。その取付けは、釣り竿把持部３１の前後両曲板部３１ｂ、３１ｃ間の開口隙間部を釣り竿２に押し当て、強く押して、その隙間を開かせ、これら両曲板部間の空間内に釣り竿２を滑り込ませることにより、ワンタッチで行うことができる。両曲板部間の空間内に釣り竿２を滑り込ませると、これら両曲板部は、一旦開いた後、弾発的に閉じようとするので、その閉じようとする力により、釣り竿２を把持することができ、両曲板部を含む竿取付け部３０、牽いては、ハリスキャッチ１０全体を釣り竿２に取り付けることができるのである。
【００５１】
次いで、手繰り寄せられたハリス６の分岐糸６ｂの先端に結び付けられた釣り針６ｃを針掛止め部材２３の任意の位置に掛け止め、ハリス６を巻き取る。複数の釣り針６ｃが用いられている場合には、それらの釣り針６ｃを針掛止め部材２３の適切な位置に順次掛け止め、ハリス６の分岐糸６ｂ及びミキ糸６ａに弛みが生じないようにしながら、ハリス６を巻き取って行く。ハリス６を巻き取るに際しては、ボルト４２を緩め、ハリス巻取り部２０を手動で回転させながら行うことができ、これにより、ハリス６を迅速に、円滑に巻き取ることができる。ハリス６を巻き取り終わると、次いで、ミチ糸５をリール４に巻き取り、ミチ糸５とハリス６とを緊張させながら、リール４を固定する。この状態で、釣り具１を担ぎながら、安全に釣り場を移動することができる。
【００５２】
新しい釣り場に着いて、釣りを再開する時には、以上の手順の逆の手順にて、ミチ糸５及びハリス６を繰り出せば良い。この時も、ハリス６を巻き取る時と同様にして、ハリス巻取り部２０を手動で回転させながら行うことができ、ハリス６を迅速に、円滑に繰り出すことができる。
【００５３】
釣りを終了する時には、前記した、釣り場を移動する時の釣り具１の状態において、ミチ糸５とハリス６とをサルカン７の部分で切断して、浮き８及び重りを外し、ミチ糸５をリール４に完全に巻き取るとともに、ハリス６をハリスキャッチ１０に完全に巻き取る。この際、ハリス６の終端は、複数のハリス止め溝２４のうちの適切なハリス止め溝２４を選択して、そこに食い込ませて保持する。そして、ハリスキャッチ１０を釣り竿２から引き抜いて取り外す。ハリスキャッチ１０は、単に釣り竿２からこれを引き抜くのみのワンタッチ操作で、前後両曲板部３１ｂ、３１ｃが弾発的に開いて、これを釣り竿２から取り外すことができる。なお、ミチ糸５とハリス６との切断が、釣り具１が前記の状態にある時に限られないことは、既に述べたとおりである。
【００５４】
ハリスキャッチ１０は、ナット４２を取り外す（ボルト４１との螺合を解く）ことにより、これを分解することが可能である。これにより、そのハリス巻取り部２０を、異なるハリスが巻回された他のハリス巻取り部２０に交換することが可能になる。特に、ボルト４１の太さを同一規格とすることによって、あらゆる種類の仕掛けへの交換が可能になる。
【００５５】
本実施例のハリスキャッチ１０は、前記のように構成されているので、次のような作用、効果を奏することができる。
ハリスキャッチ１０は、ハリス巻取り部２０が竿取付け部３０に取り付けられて一体化されることにより構成されている。しかも、竿取付け部３０に備えられた釣り竿把持部３１を弾発的に閉じたり、開いたりすることによって、該釣り竿把持部３１が、釣り竿２を把持したり、解放したりすることができるので、釣り竿把持部３１を弾発的に閉じたり、開いたりすることによって、ハリスキャッチ１０全体を釣り竿２にワンタッチで簡易に取り付けたり、取り外したりすることができることになり、安全で、確実で、しかも、短時間でのハリス６の取扱いが可能になる。
【００５６】
また、ハリス巻取り部２０は、竿取付け部３０に対して分解、組立可能にされて、該竿取付け部３０に取り付けられているので、釣り場において、ハリス巻取り部２０全体を交換することによって、ハリス６の交換を容易に行うことができる。特に、締結手段４０の構成要素をなすボルト４１の太さを同一規格とすることによって、あらゆる種類の仕掛けへの交換が可能になる。
【００５７】
また、ハリス巻取り部２０は、竿取付け部３０に対して固定、回転可能にされて、該竿取付け部３０に取り付けられているので、釣り開始時、ハリス巻取り部２０からハリス６を繰り出したり、釣り場の移動時や釣り終了（納竿）時、ハリス巻取り部２０にハリス６を巻き取って収納したりする時には、ハリス巻取り部２０全体を手動で回転させながら行うことができ、ハリス６の繰出し、巻取りを迅速に、円滑に行うことができる。
これらにより、ハリスキャッチ１０の使い勝手が向上する。
【００５８】
さらに、以上のとおり、ハリスキャッチ１０の取扱いが簡単で、容易であり、その使い勝手が良いので、子供から大人まで幅広い釣り人を対象にして、その使用が可能である。  また、使用済みのハリス６を簡単に巻き取り、収納することができるので、釣り場の移動時や釣り終了（納竿）時、仕掛けを釣り場に放棄する等の防止対策となり、環境保全に寄与することができる。
【００５９】
また、ハリス巻取り部２０は、その骨格構造が左右の縦杆２１ｌ、２１ｒと、これらの縦杆を連結する複数本の横杆２２ａ、２２ｂ、２２ｃとから成る梯子状フレームにより構成されているので、コンパクトでありながら、巻取り容量が大きく、取り扱い易いハリスキャッチ１０を得ることができる。
【００６０】
また、その左右の縦杆２１ｌ、２１ｒの一方もしくは双方には、それらの長さ方向に沿って、ハリス６に結び付けられた釣り針６ｃを任意の位置に掛け止めることができる細長板状の針掛止め部材２３が取り付けられており、釣り針６ｃの固定を自由自在に行うことができるので、複数の釣り針６ｃが付いた釣り糸であっても、釣り針６ｃをそこに引っ掛けることにより適度なハリス６（ミキ糸６ａ、分岐糸６ｂ）の張力が得られる針掛止め部材２３中の個所を適宜選択して、そこに釣り針６ｃを掛け止めて、ハリス６が緩まないようにしながら釣り糸を巻き取ることにより、釣り針６ｃと釣り糸とが縺れることなく、これらを確実に巻き取り、安全に保持することができ、特にサビキ仕掛けのような釣り針６ｃの多い仕掛けの収納が容易になる。また、この針掛止め部材２３は、ウレタン材から成るものとされているので、入手容易な材料を用いて簡易に製作、取付けすることができ、また、釣り針６ｃを任意の個所に容易に食い込ませて掛け止めることができる。
【００６１】
さらに、左右の縦杆２１ｌ、２１ｒの一方もしくは双方の両端面には、少なくとも１条のハリス止め溝２４がそれぞれ形成されているので、ハリスキャッチ１０に巻き取られた釣り糸（ハリス）の終端部を、このハリス止め溝２４に食い込ませて保持することができ、ハリス６の収納及び繰出し開始をきわめて簡単に手際よく行えて、操作性が良い。
【００６２】
また、ハリス巻取り部２０は、竿取付け部３０に、ボルト４１とナット４２とから成る締結手段４０を用いて取り付けられ、ボルト４１は、竿取付け部３０の側から該竿取付け部３０及び左右の縦杆２１ｌ、２１ｒを横方向に貫通し、その貫通して突出したネジ部に、ナット４２が螺合させられており、ハリス巻取り部２０は、該ナット４２の螺合を解くか、もしくは螺合させて締め量を調節することにより、竿取付け部３０に対して分解、組立、固定、回転可能にされているので、汎用のボルト４１とナット４２とから成る締結手段４０を用いて、ハリス巻取り部２０を竿取付け部３０に取り付けるとともに、ハリス巻取り部２０を竿取付け部３０に対して分解、組立、固定、回転可能にすることができ、ハリス巻取り部２０と竿取付け部３０とから成るハリスキャッチ１０をきわめて簡単に組み立て、また、分解することができ、しかも、多機能なハリスキャッチ１０を得ることができる。
【００６３】
なお、本願の発明は、以上の実施例に限定されず、その要旨を逸脱しない範囲において、種々の変形が可能である。
【図面の簡単な説明】
【００６４】
【図１】本願の発明の一実施例のハリスキャッチを使用した釣り具の部分正面図である。
【図２】同ハリスキャッチの斜視図である。
【図３】ハリスの斜視図である。
【符号の説明】
【００６５】
１…釣り具、２…釣り竿、３…リール本体、４…リール、５…ミチ糸、６…ハリス、6ａ…ミキ（幹）糸、６ｂ…分岐糸、６ｃ…釣り針、７…サルカン、８…浮き、９…糸ガイドリング、１０…ハリスキャッチ、２０…ハリス巻取り部、２１ｌ、２１ｒ…左右の縦杆、２２ａ〜２２ｃ…横杆、２３…針掛止め部材、２４…ハリス止め溝、２５ａ、２５ｂ…ワッシャー、３０…竿取付け部、３１…釣り竿把持部、３１ａ…突条、３１ｂ…前曲板部、３１ｃ…後曲板部、３２…基端部、３３…バネ部材、４０…締結手段、４１…ボルト、４２…ナット。
【図１】
2007135525.tif 000003
【図２】
2007135525.tif 000004
【図３】
2007135525.tif 000005
【手続補正書】
【提出日】平成18年1月4日(2006.1.4)
【手続補正１】
【補正対象書類名】明細書
【補正対象項目名】００４７
【補正方法】変更
【補正の内容】
【００４７】
締結手段４０の構成要素をなすボルト４１は、竿取付け部３０の側から、その釣り竿把持部３１及び基端部３２の各中心部、ハリス巻取り部２０の左右の縦杆２１ｌ、２１ｒの各中心部を横方向（左右方向）に貫通しており、その貫通して突出したネジ部に、締結手段４０のもう１つの構成要素をなすナット４２が螺合させられている。ボルト４１がそれらの部材を貫通するに際しては、きつく貫通することなく、柔らかく貫通する程度にわずかの隙間を設けてやれば、それらの部材の分解、組立を楽に行うことができる。また、ナット４２としては、図２に図示されるように、円形の袋ナットが使用されるのが良く、このようにすれば、摘み易く、ナット４２の締め量の調節が容易になるとともに、ボルト４１の端部が突出しないことにより、安全上からも好ましい。